【手続補正書】
【提出日】平成19年2月15日(2007.2.15)
【手続補正１】
【補正対象書類名】明細書
【補正対象項目名】特許請求の範囲
【補正方法】変更
【補正の内容】
【特許請求の範囲】
【請求項１】  センタ装置と１つ以上の中継装置とが第一の伝送路で接続され、前記中継装置と１つ以上の端末装置とが第二の伝送路で接続されるデジタル放送システムにおける限定受信システムであって、
前記センタ装置は、映像、音声またはデータのいずれかを含む必要に応じスクランブルされたコンテンツと、前記コンテンツをデスクランブルするための復号情報とを含む少なくとも１つのトランスポートストリームと、前記中継装置あるいは前記端末装置にて複数のトランスポートストリームの選択を行うための第一伝送制御情報とをあわせて第一のストリームとして前記第一の伝送路に送出し、
前記中継装置は、前記第一の伝送路から受信した前記第一のストリームを前記第二の伝送路に中継送出する際に、前記第一の伝送制御情報をもとに前記端末装置に対し生成送出する第二の伝送制御情報に、前記端末装置に対する視聴可否情報をあわせて第二のストリームとして前記第二の伝送路へ送出し、
前記端末装置は、前記視聴可否情報をもとにトランスポートストリームの視聴可否を判断するためのフロントエンド部と、前記フロントエンド部から入力されたコンテンツの復号を行う復号処理部からなり、
前記フロントエンド部は、前記第二の伝送路より受信した前記第二のストリームより前記視聴可否情報を抽出し、前記視聴可否情報に基づいて視聴制御を行い、視聴可能と判断した少なくとも１つのトランスポートストリームを選択して、前記復号処理部に送信し、
前記復号処理部は、前記復号情報をもとに、前記コンテンツへのデスクランブル制御を行うことを特徴とする限定受信システム。
【請求項２】  前記端末装置は、前記フロントエンド部特定のためのフロントエンド固有情報を有し、前記中継装置は、前記フロントエンド固有情報を含む前記視聴可否情報を生成する手段を有し、前記端末装置における前記フロントエンド部は、前記視聴可否情報における前記フロントエンド固有情報をもとに前記コンテンツの視聴制御を行うことを特徴とする請求項１記載の限定受信システム。
【請求項３】  前記端末装置は、端末装置のグループ単位の指定を可能とする端末グループ情報を有し、前記中継装置は、前記端末グループ情報を含む前記視聴可否情報を生成する手段を有し、前記端末装置における前記フロントエンド部は、前記視聴可否情報における前記端末グループ情報をもとに前記コンテンツの視聴制御を行うことを特徴とする請求項１または２記載の限定受信システム。
【請求項４】  前記端末装置は、トランスポートストリームIDによる選択手段を有し、前記中継装置は、前記トランスポートストリームIDを含む前記視聴可否情報を生成する手段を有し、前記端末装置における前記フロントエンド部は、前記視聴可否情報における前記トランスポートストリームIDをもとに前記コンテンツの視聴制御を行うことを特徴とする請求項１〜３記載の限定受信システム。
【請求項５】  前記端末装置は、オリジナルネットワークIDによる選択手段を有し、前記中継装置は、前記オリジナルネットワークIDを含む前記視聴可否情報を生成する手段を有し、前記端末装置における前記フロントエンド部は、前記視聴可否情報における前記オリジナルネットワークIDをもとに前記コンテンツの視聴制御を行うことを特徴とする請求項１〜４記載の限定受信システム。
【請求項６】  前記中継装置は、前記第一のストリームにおける暗号方式はそのままで新たに第二の暗号方式にて前記視聴可否情報に第二の暗号化を行う手段を有するとともに、前記第二の暗号化に対する第二の復号情報とともに、暗号化した前記視聴可否情報を前記第二のストリームとして送信し、前記端末装置における前記フロントエンド部は、前記第二のストリームにおける前記第二の復号情報をもとに前記視聴可否情報を復号ののちに、前記視聴可否情報をもとに前記コンテンツの視聴制御を行うことを特徴とする請求項１〜５記載の限定受信システム。
【請求項７】  前記中継装置は、前記第一のストリームにおける暗号方式はそのままで新たに第二の暗号方式にて前記第一のストリームの一部あるいはすべてに第二の暗号化を行う手段を有し、前記第二の暗号化に対する第二の復号情報とともに、前記第一のストリームの一部あるいはすべてを第二の暗号方式で暗号化した情報を前記第二のストリームとして送信し、前記端末装置における前記フロントエンド部は、前記第二の伝送制御情報をもとに前記コンテンツの視聴制御を行い、前記第二のストリームにおける第二の復号情報をもとに前記第二の暗号化に対応した復号処理を行うことを特徴とする請求項１〜６記載の限定受信システム。
【請求項８】  前記端末装置は、前記視聴可否情報を特定の時間、受信しなかった場合は、前記第二の伝送路からの第二のストリームの一部あるいは全ての情報を視聴不可とする手段を有することを特徴とする請求項１〜７記載の限定受信システム。
【請求項９】  前記端末装置におけるフロントエンド部に、前記視聴可否情報を蓄積する手段を有することを特徴とする請求項１〜８記載の限定受信システム。
【請求項１０】  前記中継装置において、前記第二のストリームの伝送周波数とは異なる特定の周波数帯を用いて前記視聴可否情報を送信し、前記端末装置は、前記特定の周波数帯で送信された、前記視聴可否情報により視聴制御を行うことを特徴とした請求項１〜９記載の限定受信システム。
【請求項１１】  前記端末装置における前記フロントエンド部に前記復号処理部との通信制御を行う通信制御部を有し、前記フロントエンド部と前記復号処理部を独立し運用することを特徴とする請求項１〜１０記載の限定受信システム。
【請求項１２】  前記端末装置における前記フロントエンド部の前記通信制御部は、前記第二のストリームの一部あるいは全てを衛星中間周波数へ変更する周波数変更手段を有し、前記復号処理部に対して衛星中間周波数にて前記第二のストリームの一部あるいは全てを出力することを特徴とした請求項１１記載の限定受信システム。
【請求項１３】  前記中継装置は、前記センタ装置からの前記第一の伝送制御情報を利用せず、前記中継装置にて新たに第二の伝送制御情報を生成・送出する手段を有することを特徴とする請求項１〜１２記載の限定受信システム。
【請求項１４】  前記中継装置における前記第二の伝送制御情報として、ＴＳＭＦ情報を用いることを特徴とする請求項１〜１３記載の限定受信システム。
【手続補正２】
【補正対象書類名】明細書
【補正対象項目名】０００３
【補正方法】変更
【補正の内容】
【０００３】
また、従来の再送信方式では、ＣＡＴＶ局が放送センタなどから送出されるスクランブルされたストリームをＣＡＴＶ端末装置に再送信する方式として、変調変換方式と再多重方式との２つが知られている。変調変換方式では、ＣＡＴＶ局でコンテンツのデスクランブル、再スクランブルを行わずに、番組配列情報の一部を変更するのみでストリームを再送信する。この方式では、限定受信の管理は、すべて放送センタで行われる。一方、再多重方式では、ＣＡＴＶ局が、受信したストリームを一旦デスクランブルした後、独自の限定受信情報を付加すると同時に、コンテンツを再スクランブルしてＣＡＴＶ端末装置に送出する。
【手続補正３】
【補正対象書類名】明細書
【補正対象項目名】０００５
【補正方法】変更
【補正の内容】
【０００５】
放送センタ１４０１は、映像や音声などのコンテンツを送出するコンテンツサーバ１４０２と、コンテンツを識別するための識別子（ＰＩＤ）やスクランブル鍵（Ｋｓ）をスクランブラ１４０５に送出し、暗号化した共通情報（ＥＣＭ）や個別情報（ＥＭＭ）を多重部１４０３に送出する限定受信制御部１４０４と、ＥＣＭやＥＭＭとコンテンツとを１つのストリームに多重化する多重部１４０３と、ストリームの中の指定されたＰＩＤを持つコンテンツをＫｓでスクランブルするスクランブラ１４０５と、ストリームを変調処理し、送信アンテナ１４０７を介して衛星回線へ送出する送信部１４０６とを備えている。
【手続補正４】
【補正対象書類名】明細書
【補正対象項目名】０００９
【補正方法】変更
【補正の内容】
【０００９】
多重部１４０３は、受信したコンテンツとＥＣＭ及びＥＭＭを１つのストリームとして多重し、スクランブラ１４０５へ送信し、スクランブラ１４０５は受信したストリームのうち、限定受信制御部１４０４により指定されたＰＩＤを持つコンテンツに対してスクランブルを行い、送信部１４０６へ送信する。送信部１４０６は、ストリームを衛星回線に応じた変調などの送信処理を行い、送信アンテナ１４０７を介して衛星回線へ送出する。
【手続補正５】
【補正対象書類名】明細書
【補正対象項目名】００１２
【補正方法】変更
【補正の内容】
【００１２】
以上のように、変調変換方式は、ＣＡＴＶ局１４０９は単にストリームをＣＡＴＶ網に適した変調方式などに変換するのみであり、ＥＣＭやＥＭＭを復号する必要もなく、ストリームの内容は関与せずに中継することができる。この方式では、センタ装置を小規模・低コストで実現することが出来るが、各端末装置１４１５の限定受信に基づく視聴管理は全て放送センタ１４０１が行う。
【手続補正６】
【補正対象書類名】明細書
【補正対象項目名】００１５
【補正方法】変更
【補正の内容】
【００１５】
ＣＡＴＶ局１５０９は、受信アンテナ１５１０を介して衛星回線からストリームを受信し、スクランブル復号を含む復調などの受信処理を行う受信部１５１０、１５１１−１〜１５１１−３と、ＰＩＤやＫｓをスクランブラ１５１４に送出し、ＥＣＭやＥＭＭを多重部１５１２に送出する限定受信制御部１５１３と、各受信部からの出力とＣＡＴＶ伝送のための番組配列情報（ＮＩＴなど）とＥＣＭ及びＥＭＭとを多重する多重部１５１２と、ストリームの中の指定されたＰＩＤを持つコンテンツをＫｓでスクランブルするスクランブラ１５１４と、信号をＣＡＴＶで規定されたＱＡＭ方式に変調するＱＡＭ変調器１５１５と、変調されたストリームをＣＡＴＶの伝送周波数に変換してＣＡＴＶ網へ送出する周波数変換部１５１６とを備えている。
【手続補正７】
【補正対象書類名】明細書
【補正対象項目名】００１７
【補正方法】変更
【補正の内容】
【００１７】
スクランブラ１５１４は、限定受信制御部１５１３より送出されるＫｓにより、同様に限定受信制御部１５１３より送出されるＰＩＤを持つコンテンツに対してスクランブルを行い、ＱＡＭ変調器１５１５へ送信し、ＱＡＭ変調器１５１５はＣＡＴＶで規定されているＱＡＭ方式に変調して周波数変換部１５１６へ送信し、周波数変換部１５１６はストリームをＣＡＴＶの伝送周波数に変換してＣＡＴＶ網へ送出する。
【手続補正８】
【補正対象書類名】明細書
【補正対象項目名】００１９
【補正方法】変更
【補正の内容】
【００１９】
【発明が解決しようとする課題】
しかし、従来の変調変換方式では、放送センタの限定受信方式をＣＡＴＶ端末でそのまま利用しているため、ＣＡＴＶ回線に無許可で端末を接続し、ＣＡＴＶ局から再送信されるコンテンツを無断で視聴する不正が行われる可能性がある。
【手続補正９】
【補正対象書類名】明細書
【補正対象項目名】００２３
【補正方法】変更
【補正の内容】
【００２３】
【課題を解決するための手段】
そこで、本発明は、１つ以上のセンタ装置と１つ以上の中継装置とが第一の伝送路で接続され、中継装置と１つ以上の端末装置とが第二の伝送路で接続され、第一の伝送路によりセンタ装置から中継装置に、スクランブルされたコンテンツと暗号化されたＥＭＭと暗号化されたＥＣＭとを含む第一のストリームが送信され、中継装置は、スクランブルされたコンテンツと暗号化されたＥＭＭと暗号化されたＥＣＭとをそのまま第二のストリームに含めて第二の伝送路で端末装置に送信するデジタル放送システムの限定受信システムにおいて、中継装置より伝送制御情報を用いて視聴可否情報を端末装置に送信するとともに、端末装置におけるフロントエンド部は前記伝送制御情報より視聴可否情報を抽出し、許可のある番組を含むストリームのみを、放送事業者が付与した限定受信の解除などを行うコンテンツ復号処理部に選択送出する制御を可能とする限定受信システムを提供している。
【手続補正１０】
【補正対象書類名】明細書
【補正対象項目名】００２７
【補正方法】変更
【補正の内容】
【００２７】
図１は、このシステムの全体構成を示すブロック図である。放送センタ１０１とＣＡＴＶ局１０２、及び、放送センタ１０１と直接受信端末１０３は、人工衛星１０４を利用した衛星回線１０５で接続され、映像や音声等のコンテンツは、この回線を通じて放送センタ１０１から送信される。ＣＡＴＶ局１０２とＣＡＴＶ端末１０３とはＣＡＴＶ回線１０６で接続され、再送信コンテンツがＣＡＴＶ局１０２からＣＡＴＶ端末１０３に送信される。放送センタ１０１は放送電波を衛星回線１０５に送出し、直接受信端末１０３は衛星回線１０５から直接電波を受信する。ＣＡＴＶ局１０２は衛星回線１０２より受信した放送電波をＣＡＴＶ回線１０６に中継し、ＣＡＴＶ端末１０３は、これをＣＡＴＶ回線１０６から受信する。
【手続補正１１】
【補正対象書類名】明細書
【補正対象項目名】００２８
【補正方法】変更
【補正の内容】
【００２８】
図２は放送センタ１０１の内部構成の要部を示すブロック図の一例である。放送センタ１０１は、各放送事業者において作成されたＴＳを再構成し、１つの伝送周波数帯への重畳に、多重情報（ＴＭＣＣ）をあわせて１つの伝送ストリームを生成し、衛星回線に適した伝送方式に変換後、送信アンテナにて中継局に対しての送出を行うものである。
【手続補正１２】
【補正対象書類名】明細書
【補正対象項目名】００２９
【補正方法】変更
【補正の内容】
【００２９】
放送センタ１０１における放送事業者２０１〜２０３において生成された、映像や音声などを含むストリームは、それぞれのトランスポートストリーム（ＴＳ）として、ＴＭＣＣ処理部２０４に入力される。ＴＭＣＣ処理部２０４は複数の放送事業者２０１〜２０３のＴＳを１つの伝送帯域に多重するとともに、端末側にて複数のＴＳより放送事業者ごとのストリームを抽出するための情報であるＴＭＣＣ信号を付加する。ＴＭＣＣ処理部２０４にて生成した１つの伝送帯域における複数のＴＳおよびＴＭＣＣ信号は、衛星伝送路に適した方式に変調部２０５にて変調され、そののちに送信アンテナ２０６を介し、衛星回線１０５に送信される。
【手続補正１３】
【補正対象書類名】明細書
【補正対象項目名】００３０
【補正方法】変更
【補正の内容】
【００３０】
図３は中継局１０２の内部構成の要部を示すブロック図の一例である。中継局で１０２は、放送センタ１０１より衛星回線１０５により伝送された複数のＴＳからなる伝送ストリームより、再送信を行うＴＳの選択および再構成を行う。
【手続補正１４】
【補正対象書類名】明細書
【補正対象項目名】００３１
【補正方法】変更
【補正の内容】
【００３１】
中継局１０２において、放送センタ１０１にて生成された複数のＴＳおよびＴＭＣＣ信号を含むストリームを受信アンテナ３０１を介し受信し、チューナ３０２にて周波数帯の選択ののち、復調部３０３に入力する。復調部３０３はチューナ３０２の出力より、ＴＭＣＣを含むベースバンドレベルの複数のＴＳを復調し、伝送制御信号処理部３０４に入力する。伝送制御信号処理部３０４は、これらの複数のＴＳの選択、再構成および放送センタ１０１にて付与されたＴＭＣＣ信号をもとにしたＣＡＴＶ用の伝送制御信号を生成、および制御部３０５において生成されたＣＡＴＶ局独自の視聴可否情報をあわせて変調部３０６に入力する。その後、伝送制御信号処理部３０４において生成したストリームをＣＡＴＶにおける伝送方式に適した方式に変調部３０５にて変調し、ＣＡＴＶ回線１０６に送信される。
【手続補正１５】
【補正対象書類名】明細書
【補正対象項目名】００３２
【補正方法】変更
【補正の内容】
【００３２】
図４は端末装置１０３の内部構成の要部を示すブロック図の一例である。端末装置１０３は、ＣＡＴＶ局１０２が付加した視聴可否情報をもとにストリーム選択を行うフロントエンド部４０１と、フロントエンド部４０１より復調後の複数のＴＳを受信し、該当コンテンツの復号処理をおこなうコンテンツ復号処理部４０５からなる。
【手続補正１６】
【補正対象書類名】明細書
【補正対象項目名】００３３
【補正方法】変更
【補正の内容】
【００３３】
また、端末装置１０３は、中継局１０２よりＣＡＴＶ回線１０６を介して伝送されるストリームを、チューナ４０２にて選択し、復調部４０３にてベースバンドレベル信号に復調し、伝送制御情報解析部４０４に入力する。伝送制御情報解析部４０４は、伝送制御情報を抜き取り、さらに伝送制御情報内の視聴可否情報を抽出し、端末装置が選択可能な番組を含むＴＳのみをコンテンツ復号処理部４０５に入力する。コンテンツ復号処理部４０５は、一般的な衛星放送受信装置と同機能を有するものであり、選択されたＴＳについて必要に応じ限定受信処理および映像デコード処理を行う。なお、ユーザによる選択操作はおもにコンテンツ復号処理部４０５に対してなされ、フロントエンド部４０１が動作するための必要な情報を通信するものとする。
【手続補正１７】
【補正対象書類名】明細書
【補正対象項目名】００３５
【補正方法】変更
【補正の内容】
【００３５】
中継局１０２においては、復調後の複数のＴＳより、ＣＡＴＶにて伝送するＴＳの受信および再構成をおこなう。この際、放送センタ１０１にて付加されたＴＭＣＣ信号を参照し、選択された単一ＴＳの抽出を行うとともに、ＴＭＣＣ信号をもとにＣＡＴＶにて再送信する場合の伝送制御情報を生成・付加する。
【手続補正１８】
【補正対象書類名】明細書
【補正対象項目名】００３８
【補正方法】変更
【補正の内容】
【００３８】
このように、中継局１０２は伝送制御情報に独自に端末視聴制御を行うための視聴可否情報を挿入して送信する。
【手続補正１９】
【補正対象書類名】明細書
【補正対象項目名】００３９
【補正方法】変更
【補正の内容】
【００３９】
端末装置１０３においては、コンテンツ復号処理部４０５により選択された番組に関する周波数情報、プログラム番号などが、フロントエンド部４０１に対して入力される。フロントエンド部４０１は、コンテンツ復号処理部４０５により指定された番組選択情報に基づき、チューナ４０２および復調部４０３にて所望のＴＳ、および伝送制御情報のベースバンド信号を復号し、伝送制御信号解析部４０４に入力する。伝送制御信号解析部４０４は、上記伝送制御情報内の視聴可否情報を抽出・解析し、視聴可能であるＴＳについては復号処理部４０５に送出する。
【手続補正２０】
【補正対象書類名】明細書
【補正対象項目名】００４４
【補正方法】変更
【補正の内容】
【００４４】
さらに、図９に示したように、端末装置１０３におけるフロントエンド部９０１に視聴制御モジュールを設け、端末装置１０３の視聴可否情報をあらかじめ格納しておくことも可能であり、さらに必要に応じ視聴可否情報などのフォーマット変更を行うことも考えられる。この際、視聴制御モジュール９０５をＩＣカードなどの取り外し可能なメディアとすることも可能である。また、１つの前記視聴制御モジュール９０５を用いて複数の端末装置に対する視聴可否制御を行う場合も考えられる。
【手続補正２１】
【補正対象書類名】明細書
【補正対象項目名】００５０
【補正方法】変更
【補正の内容】
【００５０】
さらに中継局１０２において、コンテンツとは異なる周波数帯、たとえばＯｏＢを用いて視聴可否情報を伝送することもできる。また電話回線やインターネットなどの物理的に異なる回線を用いてもかまわない。
【手続補正２２】
【補正対象書類名】明細書
【補正対象項目名】００５４
【補正方法】変更
【補正の内容】
【００５４】
以上の構成よりなる限定受信システムについて以下その動作を説明する。図１３における情報源１３０６は、ＣＡＴＶ事業者が独自に生成する自主放送番組や、現行のＣＳ放送をデコード後、新たにＭＰＥＧ方式のエンコードを行ったＭＰＥＧトランスポートストリーム形式のコンテンツを示す。また、伝送制御信号処理部１３０７は情報源１３０６から入力されるコンテンツの多重および新規伝送制御情報の追加を行う。その後、複数のＴＳからなる伝送ストリームを変調部１３０９、１３１０にてＣＡＴＶ回線１０６に適した形式に変換し、混合部１３０８により、実施の形態1で示したＴＭＣＣ信号を含む衛星放送ストリームとともに混合され、ＣＡＴＶ回線１０６に送出する。なお、受信装置１０３の構成および機能についても実施の形態1と同様である。
【手続補正２３】
【補正対象書類名】明細書
【補正対象項目名】００５９
【補正方法】変更
【補正の内容】
【００５９】
【発明の効果】
以上の説明から明らかなように、本発明の限定受信システムは、ＣＡＴＶ局における衛星放送中継の際に、衛星側の限定受信情報およびコンテンツを変更することなく、簡易な方法にてＣＡＴＶ局独自の視聴制御を可能とする構成を有しているので、変調変換方式においてもＣＡＴＶ局独自に端末装置の視聴制御が可能となるという効果がある。